(57)【要約】【課題】パッドタイプ使い捨ておむつの裏面を手で持ちやすくする。【解決手段】上記課題は、吸収体２３は、幅方向に間隔を空けて複数本設けられた前後方向に延びるスリット４０と、これらスリット４０の間に位置する中間部分３０と、スリット４０と当該吸収体２３の側縁との間に位置するサイド部分３１とを有しており、吸収体２３における表側シート層２２，２５，２６との対向面より表側における少なくとも一つの層間５０では、サイド部分３１と重なる部分３がホットメルト接着剤ＨＭを介して接合されるとともに、中間部分３０と重なる部分が非接合とされているパッドタイプ使い捨ておむつ２００により解決される。【選択図】図１２
2018139937.tif 000002
【特許請求の範囲】
【請求項１】
股間部と、股間部の前側及び後側にそれぞれ延びる前側部分及び後側部分と、
股間部を含む領域に設けられた一層又は複数層の吸収体と、
前記一層又は複数層の吸収体より裏側に位置する、少なくとも一層の裏側シート層と、
前記一層又は複数層の吸収体より表側に位置する、少なくとも一層の表側シート層とを備え、
前記一層又は複数層の吸収体は、幅方向に間隔を空けて複数本設けられた前後方向に延びるスリットと、これらスリットの間に位置する中間部分と、スリットと当該吸収体の側縁との間に位置するサイド部分とを有しており、
前記一層又は複数層の吸収体における表側シート層との対向面より表側における少なくとも一つの層間では、中間部分と重なる部分が非接合とされるか、又はサイド部分と重なる部分の接合よりも弱く接合されている、
ことを特徴とするパッドタイプ使い捨ておむつ。
【請求項２】
股間部と、股間部の前側及び後側にそれぞれ延びる前側部分及び後側部分と、
股間部を含む領域に設けられた複数層の吸収体と、
最も裏側に位置する吸収体より裏側に位置する、少なくとも一層の裏側シート層と、
最も表側に位置する吸収体より表側に位置する、少なくとも一層の表側シート層とを備え、
最も裏側に位置する吸収体、又は最も裏側に位置する吸収体から中間の吸収体までの複数層の吸収体は、幅方向に間隔を空けて複数本設けられた前後方向に延びるスリットと、これらスリットの間に位置する中間部分と、スリットと当該吸収体の側縁との間に位置するサイド部分とを有しており、
前記スリットを有する吸収体のうち、最も裏側に位置する吸収体、又は最も裏側に位置する吸収体から中間の吸収体までの複数層の吸収体と、その上の最も近い吸収体との間に位置する少なくとも一つの層間では、中間部分と重なる部分が非接合とされるか、又はサイド部分と重なる部分の接合よりも弱く接合されている、
ことを特徴とするパッドタイプ使い捨ておむつ。
【請求項３】
前記スリットは、表側から裏側に向かうにつれて連続的又は段階的に幅が広くなっている、
請求項１又は２記載のパッドタイプ使い捨ておむつ。
【請求項４】
パッドタイプ使い捨ておむつの裏面を形成する裏側シート層は、前記中間部分及びその両脇のスリットと重なる部分の裏面が、周囲よりも滑りにくい滑り止め部となっている、
請求項１〜３のいずれか１項に記載のパッドタイプ使い捨ておむつ。
【請求項５】
前記スリットは、幅方向に間隔を空けて二本設けられており、
前記スリットの幅方向間隔が前後方向中間から前後両側に向かうにつれて広くなるように、前記スリットが湾曲している、
請求項１〜４のいずれか１項に記載のパッドタイプ使い捨ておむつ。
【請求項６】
裏面に、前記裏側シート層が前記吸収体のスリット内に入り込んだ溝を有している、
請求項１〜５のいずれか１項に記載のパッドタイプ使い捨ておむつ。
【請求項７】
前記スリットは、幅方向に間隔を空けて二本設けられており、
前記スリットを通る前後方向に沿う仮想線を折り位置として、一方のサイド部分及び他方のサイド部分が幅方向中央側に折り畳まれている、
請求項１〜６のいずれか１項に記載のパッドタイプ使い捨ておむつ。
【発明の詳細な説明】
【技術分野】
【０００１】
本発明は、手で持ちやすい裏面を有するパッドタイプ使い捨ておむつに関するものである。
【背景技術】
【０００２】
夜用等で使用されるパッドタイプ使い捨ておむつは、漏れ防止及び吸収量の確保の観点から十分に大きいものとなっている（例えば特許文献１〜４参照）。
【０００３】
しかしながら、このような大型のパッドタイプ使い捨ておむつは手のひらに収まらない幅を有しているため、交換等の際に片手で持ちにくいという問題点を有していた。
【０００４】
例えば、介護者が被介護者にパッドタイプ使い捨ておむつを装着する場合、パッドタイプ使い捨ておむつの股間部の裏面をつかんで被介護者の股間にあてがうことが行われるが、パッドタイプ使い捨ておむつの裏面は凹凸がないため、強引につかむしかないのが現状である。
【０００５】
また、トイレに行くときに見守りや介助が必要な被介護者は、排尿後パンツを引き上げる前に腹圧や尿障害により尿が漏れることがある。このとき、介護者は床やアウターに尿が漏れないようとっさにパッドタイプ使い捨ておむつを排尿口にあてがう必要に迫られることがある。このとっさの事態に、介護者はパッドタイプ使い捨ておむつの裏面を片手でわしづかみにしたり、パッドタイプ使い捨ておむつが大きい場合は幅方向の端部をつかんであてがったりすることとなる。いずれにしても、パッドタイプ使い捨ておむつの持ち方が不安定となるため、上手にパッドタイプ使い捨ておむつで尿を受けることができずに、衣類や周囲の床面を汚してしまうおそれがある。
【０００６】
さらに、パッドタイプ使い捨ておむつを安定してつかめないと、立っている被介護者に対して適切な装着位置にあてがうことも困難となり、装着後のモレのリスクも高まる。
【０００７】
パッドタイプ使い捨ておむつの持ちやすさを改善するために、別の部材を取り付けて持ち手を作ることも考えられるが、それでは持ち手を使うとき以外で持ち手が邪魔となり、装着時の違和感が発生する等の問題が発生する。なお、特許文献４記載のものは裏面に持ち手となりうる突出部分を有しているが、このように製品当初から突出する部分を有する場合にも、突出部分が邪魔となり、装着時の違和感が発生する等の問題が発生する。
【先行技術文献】
【特許文献】
【０００８】
【特許文献１】特開２０１５−０３９５７９号公報
【特許文献２】特開２０１２−１５７３８０号公報
【特許文献３】特開２０１１−２３９８５８号公報
【特許文献４】特開２０１３−１３５７１７号公報
【発明の概要】
【発明が解決しようとする課題】
【０００９】
そこで、本発明の主たる課題は、パッドタイプ使い捨ておむつの裏面を手で持ちやすくすること等にある。
【課題を解決するための手段】
【００１０】
上記課題を解決した本発明の主な態様は以下のとおりである。
＜第１の態様＞
股間部と、股間部の前側及び後側にそれぞれ延びる前側部分及び後側部分と、
股間部を含む領域に設けられた一層又は複数層の吸収体と、
前記一層又は複数層の吸収体より裏側に位置する、少なくとも一層の裏側シート層と、
前記一層又は複数層の吸収体より表側に位置する、少なくとも一層の表側シート層とを備え、
前記一層又は複数層の吸収体は、幅方向に間隔を空けて複数本設けられた前後方向に延びるスリットと、これらスリットの間に位置する中間部分と、スリットと当該吸収体の側縁との間に位置するサイド部分とを有しており、
前記一層又は複数層の吸収体における表側シート層との対向面より表側における少なくとも一つの層間では、中間部分と重なる部分が非接合とされるか、又はサイド部分と重なる部分の接合よりも弱く接合されている、
ことを特徴とするパッドタイプ使い捨ておむつ。
【００１１】
（作用効果）
本態様では、パッドタイプ使い捨ておむつの裏面から吸収体のスリットに間接的に指を押し入れて、当該吸収体の中間部分を間接的につかむことができる。ここで、吸収体における表側シート層との対向面より表側における少なくとも一つの層間では、中間部分と重なる部分が非接合とされるか、又はサイド部分と重なる部分の接合よりも弱く接合されているため、中間部分をつかんだときに、非接合又は弱接合の層間が離間することにより、中間部分がサイド部分よりも裏側に突出することができるため、吸収体を崩さずに、中間部分をよりしっかりとつかむことができる。よって、パッドタイプ使い捨ておむつの裏面を手で持ちやすくなる。
また、本態様では、中間部分の自由度が高いため、フィット性も向上する。
さらに、吸収体にスリットを有することにより、スリットに沿う方向における尿の拡散性も向上することはいうまでもない
なお、用語「スリット」とは吸収体の表裏に貫通部を意味する（以下、同じ）。
【００１２】
＜第２の態様＞
股間部と、股間部の前側及び後側にそれぞれ延びる前側部分及び後側部分と、
股間部を含む領域に設けられた複数層の吸収体と、
最も裏側に位置する吸収体より裏側に位置する、少なくとも一層の裏側シート層と、
最も表側に位置する吸収体より表側に位置する、少なくとも一層の表側シート層とを備え、
最も裏側に位置する吸収体、又は最も裏側に位置する吸収体から中間の吸収体までの複数層の吸収体は、幅方向に間隔を空けて複数本設けられた前後方向に延びるスリットと、これらスリットの間に位置する中間部分と、スリットと当該吸収体の側縁との間に位置するサイド部分とを有しており、
前記スリットを有する吸収体のうち、最も裏側に位置する吸収体、又は最も裏側に位置する吸収体から中間の吸収体までの複数層の吸収体と、その上の最も近い吸収体との間に位置する少なくとも一つの層間では、中間部分と重なる部分が非接合とされるか、又はサイド部分と重なる部分の接合よりも弱く接合されている、
ことを特徴とするパッドタイプ使い捨ておむつ。
【００１３】
（作用効果）
パッドタイプ使い捨ておむつでは吸収量の確保等の目的で、吸収体を複数積層した構造のものも広く用いられている。本態様は、このような複数層の吸収体を有するパッドタイプ使い捨ておむつを対象とするものである。本態様では、パッドタイプ使い捨ておむつの裏面から最も裏側に位置する吸収体、又は最も裏側に位置する吸収体から中間の吸収体までの複数層の吸収体のスリットに間接的に指を押し入れて、当該吸収体の中間部分を間接的につかむことができる。ここで、スリットを有する吸収体のうち、最も裏側に位置する吸収体、又は最も裏側に位置する吸収体から中間の吸収体までの複数層の吸収体と、その上の最も近い吸収体との間に位置する少なくとも一つの層間では、中間部分と重なる部分が非接合とされるか、又はサイド部分と重なる部分の接合よりも弱く接合されているため、中間部分をつかんだときに、非接合又は弱接合の層間が離間することにより、中間部分がサイド部分よりも裏側に突出することができるため、吸収体を崩さずに、最も裏側の吸収体の中間部分をよりしっかりとつかむことができる。よって、パッドタイプ使い捨ておむつの裏面を手で持ちやすくなる。
また、本態様では、吸収体にスリットを有することにより、スリットに沿う方向における尿の拡散性も向上することはいうまでもない
【００１４】
＜第３の態様＞
前記スリットは、表側から裏側に向かうにつれて連続的又は段階的に幅が広くなっている、
第１又は２の態様のパッドタイプ使い捨ておむつ。
【００１５】
（作用効果）
スリットが本態様のような形状となっていると、吸収体の中間部分をつかむときに、パッドタイプ使い捨ておむつの裏面からスリットに指を押し入れやすくなる。
【００１６】
＜第４の態様＞
パッドタイプ使い捨ておむつの裏面を形成する裏側シート層は、前記中間部分及びその両脇のスリットと重なる部分の裏面が、周囲よりも滑りにくい滑り止め部となっている、
第１〜３のいずれか１つの態様のパッドタイプ使い捨ておむつ。
【００１７】
（作用効果）
本態様のように、手でつかむ部分に滑り止め部を有することにより、より一層、手で持ちやすいものとなるだけでなく、装着状態におけるずれ止め効果も発揮される。
【００１８】
＜第５の態様＞
前記スリットは、幅方向に間隔を空けて二本設けられており、
前記スリットの幅方向間隔が前後方向中間から前後両側に向かうにつれて広くなるように、前記スリットが湾曲している、
第１〜４のいずれか１つの態様のパッドタイプ使い捨ておむつ。
【００１９】
（作用効果）
スリットがこのような形状となっていると、より一層手でつかみやすいものとなるとともに、股間部に対するフィット性も向上する。
【００２０】
＜第６の態様＞
裏面に、前記裏側シート層が前記吸収体のスリット内に入り込んだ溝を有している、
第１〜５のいずれか１つの態様のパッドタイプ使い捨ておむつ。
【００２１】
（作用効果）
本態様のように、あらかじめ、パッドタイプ使い捨ておむつの裏面に溝を有していると、手の感触だけで中間部分を簡単につかむことができる。
【００２２】
＜第７の態様＞
前記スリットは、幅方向に間隔を空けて二本設けられており、
前記スリットを通る前後方向に沿う仮想線を折り位置として、一方のサイド部分及び他方のサイド部分が幅方向中央側に折り畳まれている、
第１〜６のいずれか１つの態様のパッドタイプ使い捨ておむつ。
【００２３】
（作用効果）
本態様のようにスリットを通る位置で折り畳まれた製品となっていると、使用時に、折り畳まれたサイド部分を展開したときに、折目がスリットを通る位置に残るため、この折目が手でつかむときの目印となる。よって、より一層手でつかみやすいものとなる。
【発明の効果】
【００２４】
以上のとおり本発明によれば、パッドタイプ使い捨ておむつの裏面を手で持ちやすくなる、等の利点がもたらされる。
【図面の簡単な説明】
【００２５】
【図１】パッドタイプ使い捨ておむつの展開状態の表面側を示す平面図である。
【図２】要部のみを示す平面図である。
【図３】図１のＹ−Ｙ断面図である。
【図４】図１のＸ−Ｘ断面図である。
【図５】パッドタイプ使い捨ておむつの展開状態の裏面側を示す平面図である。
【図６】図１に示される形態のＸ−Ｘ断面に相当する、他の形態の断面図である。
【図７】図１に示される形態のＹ−Ｙ断面に相当する、他の形態の断面図である。
【図８】図１に示される形態のＸ−Ｘ断面に相当する、他の形態の断面図である。
【図９】他の吸収体の平面図である。
【図１０】（ａ）手でつかむ前の状態、及び（ｂ）手でつかんだ状態をそれぞれ簡略的に示す断面図である。
【図１１】（ａ）手でつかむ前の状態、及び（ｂ）手でつかんだ状態をそれぞれ簡略的に示す断面図である。
【図１２】（ａ）手でつかむ前の状態、及び（ｂ）手でつかんだ状態をそれぞれ簡略的に示す断面図である。
【図１３】裏面に溝を有する他の形態を簡略的に示す断面図である。
【図１４】折り畳み位置を簡略的に示す断面図である。
【図１５】折り畳み手順を示す斜視図である。
【発明を実施するための形態】
【００２６】
以下、本発明の一実施形態について添付図面を参照しながら詳説する。なお、本発明の用語のうち「股間部」とは使用時に身体の股間と対応させる部分を意味し、製品によって、図示形態のように物品の前後方向ＬＤの中央若しくはその近傍から前側の所定部位までの範囲であったり、物品の前後方向ＬＤの中央の所定範囲であったりするものである。物品の前後方向ＬＤの中間あるいは吸収体の前後方向ＬＤの中間に幅の狭いくびれ部分を有する場合は、いずれか一方又は両方のくびれ部分の最小幅部位を前後方向ＬＤの中央とする所定の前後方向ＬＤの範囲を意味する。また、「前側部分（腹側部分）」は股間部よりも前側の部分を意味し、「後側部分（背側部分）」は股間部よりも後側の部分を意味する。
【００２７】
図１〜図４は、本発明に係るパッドタイプ使い捨ておむつ例２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、物品全長（前後方向ＬＤの長さ）Ｌは３５０〜７００ｍｍ程度、全幅Ｗ１は１３０〜４００ｍｍ程度（ただし、おむつの吸収面の幅より広い）とすることができ、この場合における股間部Ｃ２の前後方向ＬＤの長さは１０〜１５０ｍｍ程度、前側部分Ｆ２の前後方向ＬＤの長さは５０〜３５０ｍｍ程度、及び後側部分Ｂ２の前後方向ＬＤの長さは５０〜３５０ｍｍ程度とすることができる。また、股間部Ｃ２の幅Ｗ３は、大人用の場合、１５０ｃｍ以上、特に２００〜２６０ｃｍ程度とすることができる。
【００２８】
パッドタイプ使い捨ておむつ２００は、外面に外装シート２７が積層された液不透過性シート２１の内面と、透液性トップシート２２との間に、吸収体２３が介在された基本構造を有している。
【００２９】
吸収体２３の裏側には、液不透過性シート２１が吸収体２３の周縁よりはみ出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。
【００３０】
また、液不透過性シート２１の外面は、不織布からなる外装シート２７により覆われており、この外装シート２７は、所定のはみ出し幅をもってバックシート２１の周縁より外側にはみ出している。外装シート２７としては各種の不織布を用いることができる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００３１】
吸収体２３の表側は、透液性トップシート２２により覆われている。図示形態ではトップシート２２の側縁から吸収体２３が一部はみ出しているが、吸収体２３の側縁がはみ出さないようにトップシート２２の幅を広げることもできる。トップシート２２としては、有孔又は無孔の不織布や穴あきプラスチックシートなどが用いられる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００３２】
トップシート２２と吸収体２３との間には、中間シート２５を介在させるのが望ましい。この中間シート２５は、吸収体２３により吸収した尿の逆戻りを防止するために設けられるものであり、保水性が低く、かつ透液性の高い素材、例えば各種の不織布やメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅Ｗ４は後述する吸収体２３のくびれ部分２３ｎの最小幅Ｗ５の５０〜１００％程度であるのが好ましい。
【００３３】
パッドタイプ使い捨ておむつ２００の前後方向ＬＤの両端部では、外装シート２７及び透液性トップシート２２が吸収体２３の前後端よりも前後両側にそれぞれ延在されて貼り合わされ、吸収体２３の存在しないエンドフラップ部ＥＦが形成されている。パッドタイプ使い捨ておむつ２００の両側部では、外装シート２７が吸収体２３の側縁よりも外側にそれぞれ延在され、この延在部からトップシート２２の側部までの部分の内面には、立体ギャザー２４を形成するギャザーシート２４ｓの幅方向ＷＤの外側の部分２４ｘが前後方向ＬＤの全体にわたり貼り付けられ、吸収体２３の存在しないサイドフラップ部ＳＦを構成している。これら貼り合わせ部分は、図１では斜線模様で示されており、ホットメルト接着剤、ヒートシール、超音波シールにより形成できる。外装シート２７を設けない場合、外装シート２７に代えて液不透過性シート２１をサイドフラップ部ＳＦまで延在させ、サイドフラップ部ＳＦの外面側を形成することができる。
【００３４】
ギャザーシート２４ｓの素材としては、プラスチックシートやメルトブローン不織布を使用することもできるが、肌への感触性の点で、不織布にシリコンなどにより撥水処理をしたものが好適に使用される。
【００３５】
ギャザーシート２４ｓの幅方向ＷＤの中央側の部分２４ｃはトップシート２２上にまで延在しており、その幅方向ＷＤの中央側の端部には、細長状弾性部材２４Ｇが前後方向ＬＤに沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３６】
また、両ギャザーシート２４ｓは、幅方向ＷＤの外側の部分２４ｘが前後方向ＬＤの全体にわたり物品内面（図示形態ではトップシート２２表面及び外装シート２７内面）に貼り合わされて固定されるとともに、幅方向ＷＤの中央側の部分２４ｃが、前後方向ＬＤの両端部では物品内面（図示形態ではトップシート２２表面）に貼り合わされて固定され、かつ前後方向ＬＤの両端部間では物品内面（図示形態ではトップシート２２表面）に固定されていない。この非固定部分は、図１に示されるように、物品内面（図示形態ではトップシート２２表面）に対して弾力的に起立する漏れ防止壁となる部分であり、その起立基端２４ｂはギャザーシート２４ｓにおける幅方向ＷＤの外側の固定部分２４ｘと内側の部分２４ｃとの境に位置する。
【００３７】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２３はクレープ紙等の包装シート２６により包むことができる。また、吸収体２３の形状は、相対的に前側の部分が後側の部分よりも幅狭な帯状、あるいは長方形状、台形状等、適宜の形状とすることができる。
【００３８】
吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００３９】
吸収体２３は、前側部分Ｆ２から後側部分Ｂ２にかけて延在されており、図示形態では股間部Ｃ２を含む前後方向ＬＤの中間の所定部分が幅の狭いくびれ部分２３ｎとして形成されている。このくびれ部分２３ｎの最小幅Ｗ５は、くびれ部分２３ｎの前後に位置する非くびれ部分の幅Ｗ２の５０〜６５％程度であるのが好ましい。また、物品前端を０％とし物品後端を１００％としたとき、くびれ部分２３ｎの前端は１０〜２５％の範囲に位置しているのが好ましく、くびれ部分２３ｎの後端は４０〜６５％の範囲に位置しているのが好ましく、くびれ部分２３ｎの最小幅Ｗ５となる部位（最小幅部位）は２５〜３０％の範囲に位置しているのが好ましい。
【００４０】
吸収体２３は、図３、図４及び図６に示すように上吸収体２３Ａ及び下吸収体２３Ｂからなる二層構造としても、また図７及ぶ図８に示すように一層構造としてもよく、図示しないが三層以上の積層構造としてもよい。
【００４１】
（第１の態様の適用例）
図３及び図４に示す形態及び図７及ぶ図８に示す形態では、吸収体２３は、幅方向ＷＤに間隔を空けて複数本設けられた前後方向ＬＤに延びるスリット４０と、これらスリット４０の間に位置する中間部分３０と、スリット４０と当該吸収体２３の側縁との間に位置するサイド部分３１とを有している。
【００４２】
図３及び図４に示す形態のように、複数層構造の吸収体２３の場合、スリット４０はすべての吸収体層２３Ａ，２３Ｂに設けられ、裏側シート層との対向面から表側シート層との対向面までスリット４０が厚み方向に続くこととなる。ここで、裏側シート層は、吸収体２３の裏側に位置するシート層であり、本形態では、包装シート２６における吸収体２３の裏側に位置する部分、液不透過性シート２１、及び外装シート２７がこれに該当する。同様に、表側シート層は、吸収体２３の表側に位置するシート層であり、本形態では包装シート２６における吸収体２３の表側に位置する部分、中間シート２５、及びトップシート２２がこれに該当する。
【００４３】
そして、図３及び図４に示す複数層形態の場合は図１０（ａ）に、また図７及び図８に示す単層形態の場合は図１２（ａ）に、それぞれ簡略化して示すように、吸収体２３における表側シート層との対向面より表側における少なくとも一つの層間５０は、サイド部分３１と重なる部分はホットメルト接着剤ＨＭを介して接合（溶着でもよい）されているものの、中間部分３０と重なる部分は非接合とされている。中間部分３０と重なる部分の層間５０は接合することもできるが、その場合サイド部分３１と重なる部分の接合よりも弱く接合する必要がある。これら非接合又は弱接合の部分を有する層間５０では、サイド部分３１と重なる部分を非接合としてもよい。
【００４４】
非接合又は弱接合の部分を有する層間５０は、吸収体２３より表側（つまり吸収体２３が複数層の場合、最も表側に位置する吸収体層よりも表側）であれば、特に限定されず、例えば吸収体２３と包装シート２６（表側シート層）との間、包装シート２６と中間シート２５との間、中間シート２５とトップシート２２との間のいずれでもよい。
【００４５】
以上のように構成されたパッドタイプ使い捨ておむつ２００では、図３及び図４に示す複数層形態の場合は図１０（ｂ）に、また図７及び図８に示す単層形態の場合は図１２（ｂ）に、それぞれ簡略化して示すように、パッドタイプ使い捨ておむつ２００の裏面から吸収体２３のスリット４０に間接的に指を押し入れて、当該吸収体２３の中間部分３０を間接的につかむことができる。ここで、吸収体２３における表側シート層との対向面より表側における少なくとも一つの層間５０では、中間部分３０と重なる部分が非接合とされるか、又はサイド部分３１と重なる部分の接合よりも弱く接合されているため、中間部分３０をつかんだときに、非接合又は弱接合の層間５０が離間することにより、中間部分３０がサイド部分３１よりも裏側に突出することができるため、吸収体２３を崩さずに、中間部分３０をよりしっかりとつかむことができる。よって、パッドタイプ使い捨ておむつ２００の裏面を手で持ちやすくなる。また、本例では、中間部分３０の自由度が高いため、フィット性も向上する。さらに、吸収体２３にスリット４０を有することにより、スリット４０に沿う方向における尿の拡散性も向上することはいうまでもない
【００４６】
（第２の態様の適用例）
図６に示される形態は、二層構造の吸収体２３を有するものであり、下吸収体２３Ｂは、幅方向ＷＤに間隔を空けて複数本設けられた前後方向ＬＤに延びるスリット４０と、これらスリット４０の間に位置する中間部分３０と、スリット４０と当該下吸収体２３Ｂの側縁との間に位置するサイド部分３１とを有しているものである。
【００４７】
図示しないが、吸収体２３は三層以上とすることもできる。スリット４０は、最も裏側に位置する吸収体層、又は最も裏側に位置する吸収体層から中間の吸収体層までの複数層の吸収体層に設けられていれば足りるが、図３及び図４に示す形態と同様に、すべての吸収体２３Ａ，２３Ｂに設けられていてもよい。複数層の吸収体にスリット４０が設けられている場合、スリット４０は最も裏側に位置する吸収体層における裏側シート層との対向面から複数の吸収体２３にわたり厚み方向に続くこととなる。ここで、裏側シート層は、最も裏側に位置する吸収体２３の裏側に位置するシート層であり、本形態では、包装シート２６における最も裏側に位置する吸収体層の裏側に位置する部分、液不透過性シート２１、及び外装シート２７がこれに該当する。同様に、表側シート層は、最も表側に位置する吸収体２３の表側に位置するシート層であり、本形態では包装シート２６における最も表側に位置する吸収体層の表側に位置する部分、中間シート２５、トップシート２２がこれに該当する。
【００４８】
そして、図１１（ａ）に簡略化して示すように、下吸収体２３Ｂと上吸収体２３Ａとの間に位置する少なくとも一つの層間５１では、サイド部分３１と重なる部分はホットメルト接着剤を介して接合（溶着でもよい）されているものの、中間部分３０と重なる部分は非接合とされている。中間部分３０と重なる部分の層間５１は接合することもできるが、その場合サイド部分３１と重なる部分の接合よりも弱く接合する必要がある。これら非接合又は弱接合の部分を有する層間５１では、サイド部分３１と重なる部分を非接合としてもよい。
【００４９】
非接合又は弱接合の部分を有する層間５１は、スリット４０を有する吸収体層のうち、最も裏側に位置する吸収体層、又は最も裏側に位置する吸収体層から中間の吸収体層までの複数層の吸収体層と、その上の最も近い吸収体層との間に位置する少なくとも一つの層間であれば、特に限定されず、例えば図示形態のように隣接する上吸収体２３Ａ及び下吸収体２３Ｂがそれぞれ包装シート２６で包装されている場合には上吸収体２３Ａの包装シート２６と下吸収体２３Ｂの包装シート２６との層間５１としたり、上吸収体２３Ａ及び下吸収体２３Ｂが直接接している場合には上吸収体２３Ａと下吸収体２３Ｂとの間としたり、少なくとも一方の吸収体２３が包装シート２６で包装されている場合には包装シート２６といずれか一方の吸収体２３との間としたりすることができる。これらの場合における包装シート２６に代えて適当なシート層を介在させることもできる。また、非接合又は弱接合の部分を有する層間５１よりも上にスリット４０を有する吸収体２３が複数層積層されていてもよい。
【００５０】
以上のように構成されたパッドタイプ使い捨ておむつ２００では、図１１（ｂ）に簡略化して示すように、パッドタイプ使い捨ておむつ２００の裏面から最も裏側に位置する吸収体層、又は最も裏側に位置する吸収体層から中間の吸収体層までの複数の吸収体層のスリット４０に間接的に指を押し入れて、当該吸収体２３の中間部分３０を間接的につかむことができる。ここで、スリット４０を有する吸収体２３のうち、最も裏側に位置する吸収体層、又は最も裏側に位置する吸収体層から中間の吸収体層までの複数の吸収体層と、その上の最も近い吸収体２３との間に位置する少なくとも一つの層間５１では、中間部分３０と重なる部分が非接合とされるか、又はサイド部分３１と重なる部分の接合よりも弱く接合されているため、中間部分３０をつかんだときに、非接合又は弱接合の層間５１が離間することにより、中間部分３０がサイド部分３１よりも裏側に突出することができるため、吸収体２３を崩さずに、最も裏側の吸収体２３の中間部分３０をよりしっかりとつかむことができる。よって、パッドタイプ使い捨ておむつ２００の裏面を手で持ちやすくなる。また、本例においても、吸収体２３にスリット４０を有することにより、スリット４０に沿う方向における尿の拡散性も向上する。
【００５１】
（スリット）
スリット４０は、前後方向ＬＤの位置、及び前後方向ＬＤの長さ４０Ｌは特に限定されず、したがって吸収体２３の前後方向ＬＤの全体にわたり設けることもできるが、少なくとも股間部Ｃ２に設けることが好ましく、特に図示形態のように前側部分Ｆ２の股間側端部から後側部分Ｂ２の股間側端部まで延在させることが望ましい。また、図９（ａ）に示すように、スリット４０の後側の部分を幅方向ＷＤの外側に向かうように曲げたり（前側も同様に曲げることができる）することもできる。より具体的には、使い捨ておむつ２００の前端を０％とし、使い捨ておむつ２００の後端を１００％としたとき、スリット４０の前端は１５〜３０％の範囲に位置しているのが好ましく、スリット４０の後端は４０〜７０％の範囲に位置しているのが好ましい。
【００５２】
スリット４０は左右両側に各１本設けるほか、図示しないが３本以上設けることもできる。スリット４０の幅方向ＷＤの位置は左右対称となることが好ましく、スリット４０の間隔４０Ｄは、通常の場合、吸収体２３のくびれ部分２３ｎの最小幅Ｗ５の１０〜３０％程度であるのが好ましい。
【００５３】
スリット４０は前後方向ＬＤに直線的に延びていても、曲線的に延びていてもよい。特に、図９（ｂ）に示すように、スリット４０が幅方向ＷＤに間隔を空けて二本設けられている形態では、スリット４０の幅方向ＷＤの間隔が前後方向ＬＤの中間から前後両側に向かうにつれて広くなるように、スリット４０が湾曲していると、より一層手でつかみやすいものとなるとともに、股間部Ｃ２に対するフィット性も向上する。
【００５４】
図２に示される吸収体２３では、スリット４０の前後端は吸収体２３の周縁に突き抜けていないが、図９（ａ）に示す例のように後端（前端又は両端でもよい）を周縁に達するようにしてもよい。なお、スリット４０の前後両端が吸収体２３の側縁に達する形態では、スリット４０よりも側方の部分はスリット４０間の部分とは別体となる。
【００５５】
スリット４０の幅４０Ｗは、対向する側壁が離間している限り特に限定されないが、通常の場合、吸収体２３のくびれ部分２３ｎの最小幅Ｗ５の１０〜２０％程度とすることが望ましく、具体的に大人用製品の場合５〜３２ｍｍ程度とすることができる。スリットの幅４０Ｗは、吸収体の厚み方向にほぼ一定であってもよいが、表裏少なくとも一方側に向かうにつれて広くなっていてもよい。特に図１２に示すように、スリット４０の幅が表側から裏側に向かうにつれて連続的又は段階的に広くなっていると、吸収体２３の中間部分をつかむときに、パッドタイプ使い捨ておむつ２００の裏面からスリット４０に指を押し入れやすくなるため好ましい。
【００５６】
（裏側シート層）
パッドタイプ使い捨ておむつの裏面を形成する裏側シート層、つまり図示例の外装シートは、図５に示すように中間部分及びその両脇のスリットと重なる部分の裏面が、周囲よりも滑りにくい滑り止め部２７Ｕとなっていると、手でつかむ部分が判別しやすくなり、より一層、手で持ちやすいものとなるだけでなく、装着状態におけるずれ止め効果も発揮される。
【００５７】
滑り止め部２７Ｕは、外装シート２７における手でつかむ部分、つまりスリット４０と重なる部分を含む部分に、滑り止めシートを貼り付けたり、滑り止め樹脂を塗布したりすることにより形成することができる。
【００５８】
（裏面の溝）
図１３に示すように、パッドタイプ使い捨ておむつ２００の裏面に、裏側シート層が吸収体２３のスリット４０内に入り込んだ溝６０を有していると、手の感触だけで中間部分３０を簡単につかむことができる。また、図示例のように股間部Ｃ２を含む前後方向ＬＤの範囲にスリット４０及び溝６０が設けられている場合、吸収体２３のサイド部分３１が太ももの付け根に沿って折れ曲がりやすくなり、股間部Ｃ２のフィット性が向上する。なお、図１３（ａ）に示す例は図１０に示す例の変形例であり、図１３（ｂ）に示す例は図１１に示す例の変形例であり、図１３（ｃ）に示す例は図１２に示す例の変形例である。
【００５９】
溝６０の深さは適宜定めることができ、裏側シート層の溝６０の底部は、図１３（ａ）（ｂ）に示すようにスリット４０の表側に位置する層に近接していても、また図１３（ｃ）に示すように離間していてもよい。
【００６０】
裏側シート層における溝６０の底部６１は、図１３（ａ）（ｂ）に示すようにスリット４０の表側に位置する層に対してホットメルト接着剤ＨＭを介して接合（溶着でもよい）されていると、溝６０の形状が維持されるため好ましいが、製品状態で溝６０が形成されている限り、図１３（ｂ）に示すように裏側シート層における溝６０の底部６１がスリット４０の表側に位置する層に対して接合されていなくてもよい。
【００６１】
（製品形態）
幅の広いパッドタイプ使い捨ておむつ２００においては、図１５に示すように、幅方向ＷＤの両端部２０２を幅方向ＷＤの中間部２０１上に折り返した後、前後方向ＬＤに三つ折り（又は二つ折り）にした折り畳み状態で製品として販売されることが多い。そこで、図１４に示すように、スリット４０を幅方向ＷＤに間隔を空けて二本設けるとともに、スリット４０を通る前後方向ＬＤに沿う仮想線を折り位置として、二点鎖線で示すように一方のサイド部分３１及び他方のサイド部分３１を幅方向ＷＤの中央側に折り畳むことも提案される。このように、スリット４０を通る位置で折り畳まれた製品となっていると、使用時に、折り畳まれたサイド部分３１を展開したときに、折目がスリット４０を通る位置に残るため、この折目が手でつかむときの目印となる。よって、より一層手でつかみやすいものとなる。なお、図１４（ａ）に示す例は図１０に示す例の変形例であり、図１４（ｂ）に示す例は図１３（ｂ）に示す例の変形例であり、図１４（ｃ）に示す例は図１３（ｃ）に示す例の変形例である。
【００６２】
＜明細書中の用語の説明＞
明細書中で以下の用語が使用される場合、明細書中に特に記載が無い限り、以下の意味を有するものである。
・「前後（縦）方向」とは腹側（前側）と背側（後側）を結ぶ方向を意味し、「幅方向ＷＤ」とは前後方向ＬＤと直交する方向（左右方向）を意味する。
・「展開状態」とは、収縮や弛み無く平坦に展開した状態を意味する。
・「伸長率」は、自然長を１００％としたときの値を意味する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
・吸収体の「厚み」は、株式会社尾崎製作所の厚み測定器（ピーコック、ダイヤルシックネスゲージ大型タイプ、型式Ｊ−Ｂ（測定範囲０〜３５ｍｍ）又は型式Ｋ−４（測定範囲０〜５０ｍｍ））を用い、試料と厚み測定器を水平にして、測定する。
・吸収体以外の「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
・試験や測定における環境条件についての記載が無い場合、その試験や測定は、標準状態（試験場所は、温度２０±５℃、相対湿度６５％以下）の試験室又は装置内で行うものとする。
・各部の寸法は、特に記載が無い限り、自然長状態ではなく展開状態における寸法を意味する。
【産業上の利用可能性】
【００６３】
本発明は、パッドタイプ使い捨ておむつに利用できるものである。
【符号の説明】
【００６４】
Ｂ２…後側部分、Ｃ２…股間部、Ｆ２…前側部分、ＬＤ…前後方向、ＷＤ…幅方向、２１…液不透過性シート、２２…トップシート、２３…吸収体、２３Ａ…上吸収体、２３Ｂ…下吸収体、２４…立体ギャザー、２４ｓ…ギャザーシート、２５…中間シート、２６…包装シート、２７…外装シート、２７Ｕ…滑り止め部、３０…中間部分、３１…サイド部分、４０…スリット、５０，５１…層間、６０…溝、２００…パッドタイプ使い捨ておむつ。
【図１】
2018139937.tif 000003
【図２】
2018139937.tif 000004
【図３】
2018139937.tif 000005
【図４】
2018139937.tif 000006
【図５】
2018139937.tif 000007
【図６】
2018139937.tif 000008
【図７】
2018139937.tif 000009
【図８】
2018139937.tif 000010
【図９】
2018139937.tif 000011
【図１０】
2018139937.tif 000012
【図１１】
2018139937.tif 000013
【図１２】
2018139937.tif 000014
【図１３】
2018139937.tif 000015
【図１４】
2018139937.tif 000016
【図１５】
2018139937.tif 000017